(57)【特許請求の範囲】
【請求項１】
原稿を撮影する撮影手段と、
前記撮影手段により撮影される領域の、前記原稿の背景となる領域に表示された既定の画像パターンと、
前記撮影手段により撮影された画像における、前記画像パターンに対応する画像要素と、前記原稿の影に対応する画像要素とに基づいて、前記原稿に対応する画像領域を決定する領域決定手段と
を有し、
前記領域決定手段は、前記画像パターンに対応する画像要素と、前記原稿の影に対応する画像要素とが重なりあう領域においては、前記原稿の影により前記画像パターンが見えない領域を、前記原稿に対応する画像領域の外縁とし、前記原稿の影に対応する画像要素が存在しない領域においては、前記原稿により前記画像パターンが見えない領域を、前記原稿に対応する画像領域の外縁とする
画像読取装置。
【請求項２】
前記撮影手段により撮影された前記画像パターンに対応する画像要素に基づいて、補正指示情報を生成する補正指示手段と、
前記補正指示手段により生成された補正指示情報に応じて、前記撮影手段により撮影された画像に補正処理を施す補正手段と
をさらに有する請求項１に記載の画像読取装置。
【請求項３】
前記撮影手段の撮影位置で、前記原稿を搬送する原稿搬送手段
をさらに有し、
前記画像パターンは、前記原稿の搬送速度に応じて移動し、
前記補正指示手段は、少なくとも、原稿の搬送速度の変動に起因する画像歪みを補正するための補正指示情報を生成する
請求項２に記載の画像読取装置。
【請求項４】
前記撮影手段の撮影位置において、前記原稿の表面に対して斜め方向に光を照射する光源と、
前記光源から見て前記原稿の背景となる領域において、前記原稿の搬送路から離間した位置に設けられた裏当て部材と
をさらに有し、
前記領域決定手段は、前記裏当て部材に投影された原稿の影に対応する画像要素と、前記裏当て部材に表示された前記画像パターンとに基づいて、前記画像領域を決定する
請求項１に記載の画像読取装置。
【請求項５】
前記光源から見て前記原稿の背景となる領域に設けられ、前記原稿の搬送速度に応じて回転する裏当てローラと
をさらに有し、
前記画像パターンは、前記裏当てローラの表面に形成されてなる
請求項４に記載の画像読取装置。
【請求項６】
前記撮影手段の撮影位置で、前記原稿を搬送する原稿搬送手段と、
前記撮影手段から見て前記原稿の裏面側に設けられ、前記原稿の搬送に応じて発光する発光手段と
をさらに有し、
前記画像パターンは、前記発光手段による発光により形成される
請求項１に記載の画像読取装置。
【請求項７】
前記発光手段は、不可視光を発し、
前記画像パターンは、不可視光により形成される
請求項６に記載の画像読取装置。
【請求項８】
撮影手段により撮影された画像の中から、既定の画像パターンに対応する画像要素を抽出するステップと、
前記撮影手段により撮影された画像の中から、原稿の影に対応する画像要素を抽出するステップと、
前記抽出された画像パターンに対応する画像要素と、前記抽出された原稿の影に対応する画像要素とに基づいて、前記撮影手段により撮影された画像の中から、前記原稿に対応する画像領域を決定するステップと
を有し、
前記画像領域を決定するステップにおいて、前記画像パターンに対応する画像要素と、前記原稿の影に対応する画像要素とが重なりあう領域においては、前記原稿の影により前記画像パターンが見えない領域を、前記原稿に対応する画像領域の外縁とし、前記原稿の影に対応する画像要素が存在しない領域においては、前記原稿により前記画像パターンが見えない領域を、前記原稿に対応する画像領域の外縁とする
画像処理方法。
【請求項９】
撮影手段により撮影された画像の中から、既定の画像パターンに対応する画像要素を抽出するステップと、
前記撮影手段により撮影された画像の中から、原稿の影に対応する画像要素を抽出するステップと、
前記抽出された画像パターンに対応する画像要素と、前記抽出された原稿の影に対応する画像要素とに基づいて、前記撮影手段により撮影された画像の中から、前記原稿に対応する画像領域を決定するステップと
をコンピュータに実行させ、
前記画像領域を決定するステップにおいて、前記画像パターンに対応する画像要素と、前記原稿の影に対応する画像要素とが重なりあう領域においては、前記原稿の影により前記画像パターンが見えない領域を、前記原稿に対応する画像領域の外縁とし、前記画像領域を決定するステップにおいて、前記原稿の影に対応する画像要素が存在しない領域においては、前記原稿により前記画像パターンが見えない領域を、前記原稿に対応する画像領域の外縁とする
プログラム。
【発明の詳細な説明】
【技術分野】
【０００１】
本発明は、画像読取装置に関する。
【背景技術】
【０００２】
例えば、特許文献１には、原稿読み取り部の背景に原稿と同じ反射率を有する反射面を設け、この反射面にできた原稿の影を検出することによって、原稿の斜行を検出するイメージ入力装置が開示されている。
また、特許文献２には、原稿の縁を読み取った時に当該原稿の影を検知しかつ、原稿の原稿設定位置に対する傾きおよび縦・横方向のズレを検知する画像読取装置が開示されている。
また、特許文献３には、台座の台座面の全面に予め４５度の角度で直線が間隔をもって平行に記されている撮影装置が開示されている。
また、特許文献４には、入力対象画像の背景画像を与える手段であって、異なる２種類の色彩からなる模様を有する手段と、入力対象画像とともに背景画像を入力する機能を有するスキャナ装置と、入力した対象画像および背景画像における両画像の境界線が与える位置座標を検出する手段と、該位置座標から入力対象画像の背景画像に対する傾き角度を計算する手段と、該傾き角度に基づいて入力した対象画像および背景画像を回転処理し、傾きを補正する手段と、該傾きを補正した画像から背景画像を除去する手段を備えた画像データ入力装置が開示されている。
【先行技術文献】
【特許文献】
【０００３】
【特許文献１】特開平９−６５０６１号公報
【特許文献２】特開平２−２７４１６５号公報
【特許文献３】特開２００６−２１１０４６号公報
【特許文献４】特開平６−２０９３９８号公報
【発明の概要】
【発明が解決しようとする課題】
【０００４】
よりきれいな原稿画像を生成する画像読取装置を提供することを目的とする。
【課題を解決するための手段】
【０００５】
本発明に係る画像読取装置は、原稿を撮影する撮影手段と、前記撮影手段により撮影される領域の、前記原稿の背景となる領域に表示された既定の画像パターンと、前記撮影手段により撮影された画像における、前記画像パターンに対応する画像要素と、前記原稿の影に対応する画像要素とに基づいて、前記原稿に対応する画像領域を決定する領域決定手段とを有する。
【０００６】
好適には、前記撮影手段により撮影された前記画像パターンに対応する画像要素に基づいて、補正指示情報を生成する補正指示手段と、前記補正指示手段により生成された補正指示情報に応じて、前記撮影手段により撮影された画像に補正処理を施す補正手段とをさらに有する。
【０００７】
好適には、前記撮影手段の撮影位置で、前記原稿を搬送する原稿搬送手段をさらに有し、前記画像パターンは、前記原稿の搬送速度に応じて移動し、前記補正指示手段は、少なくとも、原稿の搬送速度の変動に起因する画像歪みを補正するための補正指示情報を生成する。
【０００８】
好適には、前記撮影手段の撮影位置において、前記原稿の表面に対して斜め方向に光を照射する光源と、前記撮影手段の撮影位置近傍において、前記原稿の搬送路から離間した位置に設けられた裏当て部材とをさらに有し、前記領域決定手段は、前記裏当て部材に投影された原稿の影に対応する画像要素と、前記裏当て部材に表示された前記画像パターンとに基づいて、前記画像領域を決定する。
【０００９】
好適には、前記撮影手段の撮影位置近傍に設けられ、前記原稿の搬送速度に応じて回転する裏当てローラとをさらに有し、前記画像パターンは、前記裏当てローラの表面に形成されてなる。
【００１０】
好適には、前記撮影手段の撮影位置で、前記原稿を搬送する原稿搬送手段と、前記撮影手段から見て前記原稿の裏面側に設けられ、前記原稿の搬送に応じて発光する発光手段とをさらに有し、前記画像パターンは、前記発光手段による発光により形成される。
【００１１】
好適には、前記発光手段は、不可視光を発し、前記画像パターンは、不可視光により形成される
。
【００１２】
本発明に係る画像処理方法は、撮影手段により撮影された画像の中から、既定の画像パターンに対応する画像要素を抽出するステップと、前記撮影手段により撮影された画像の中から、原稿の影に対応する画像要素を抽出するステップと、前記抽出された画像パターンに対応する画像要素と、前記抽出された原稿の影に対応する画像要素とに基づいて、前記撮影手段により撮影された画像の中から、前記原稿に対応する画像領域を決定するステップとを有する。
【００１３】
本発明に係るプログラムは、撮影手段により撮影された画像の中から、既定の画像パターンに対応する画像要素を抽出するステップと、前記撮影手段により撮影された画像の中から、原稿の影に対応する画像要素を抽出するステップと、前記抽出された画像パターンに対応する画像要素と、前記抽出された原稿の影に対応する画像要素とに基づいて、前記撮影手段により撮影された画像の中から、前記原稿に対応する画像領域を決定するステップとをコンピュータに実行させる。
【発明の効果】
【００１４】
本発明によれば、よりきれいな原稿画像を生成する画像読取装置を提供することができる。
【図面の簡単な説明】
【００１５】
【図１】スキャナ装置１の全体構成を模式的に示す。
【図２】（Ａ）は、スキャナ装置１の内部を模式的に説明する図であり、（Ｂ）は、照明光源１００と裏当てローラ１０６とイメージセンサ１０２の位置関係を説明する図である。
【図３】制御ユニット１１０にインストールされる制御プログラム５の機能構成を例示する図である。
【図４】イメージセンサ１０２により撮影される読取画像９０から、補正指示情報を生成する方法を説明する図である。
【図５】イメージセンサ１０２により撮影される読取画像９０から、原稿画像の画像領域を決定する方法を説明する図である。
【図６】変形例１における画像パターンを例示する図である。
【図７】変形例２における画像パターンを例示する図である。
【図８】変形例３における画像パターンを例示する図である。
【図９】（Ａ）は、変形例４におけるスキャナ装置１の内部を模式的に説明する図であり、（Ｂ）は、変形例４の照明光源１００と裏当て板１１２とイメージセンサ１０２の位置関係を説明する図である。
【図１０】変形例４における読取画像を例示する図である。
【図１１】（Ａ）は、変形例５におけるスキャナ装置１の内部を模式的に説明する図であり、（Ｂ）は、変形例５のスキャナ装置１により撮影される読取画像を例示する図である。
【図１２】照明光源１００を周期的に強弱点灯させた場合の読取画像を例示する図である。
【発明を実施するための形態】
【００１６】
以下、本発明の実施形態を図面を参照して説明する。
図１は、スキャナ装置１の全体構成を模式的に示す。なお、スキャナ装置１は、本発明に係る画像読取装置の一例である。
図１に例示するように、スキャナ装置１は、ＡＤＦ（Auto Document Feeder）が設けられたドキュメントスキャナであり、原稿９を読取位置（撮影位置）に搬送し、搬送された原稿９から原稿画像を読み取る。
【００１７】
図２（Ａ）は、スキャナ装置１の内部（読取位置（撮影位置）の近傍）を模式的に説明する図であり、図２（Ｂ）は、照明光源１００と裏当てローラ１０６とイメージセンサ１０２の位置関係を説明する図である。
図２（Ａ）に例示するように、スキャナ装置１には、照明光源１００、イメージセンサ１０２、搬送路１０４、裏当てローラ１０６、搬送ローラ１０８、及び制御ユニット１１０が設けられている。
照明光源１００は、撮影対象媒体である原稿９に対して、斜め方向に、可視領域の光を照射する光源であり、例えば、赤色ＬＥＤ、緑色ＬＥＤ、青色ＬＥＤの３色のＬＥＤを有する３色ＬＥＤアレイであってもよいし、白色ＬＥＤであってもよい。本例の照明光源１００は、原稿９が搬送される方向（副走査方向）と直交する方向（主走査方向）に配列されたＬＥＤであり、原稿９の表面に対して、副走査方向（原稿搬送方向）の上流側から下流側方向に斜めに光を照射する。
【００１８】
イメージセンサ１０２は、本発明に係る撮影手段の一例であり、例えばＣＣＤ（Ｃｈａｒｇｅ Ｃｏｕｐｌｅｄ Ｄｅｖｉｃｅ）が配列されたラインセンサである。イメージセンサ１０２は、照明光源１００により照射され原稿９などで反射された反射光を受光し、電気信号に変換することで原稿表面及びその周囲の画像を読み取る。本例のイメージセンサ１０２は、赤色のフィルタを備えた赤色ラインセンサ、緑色のフィルタを備えた緑色ラインセンサ、及び青色のフィルタを備えた青色ラインセンサを含む。
【００１９】
搬送路１０４は、原稿９が搬送される経路であり、搬送路１０４上の原稿９は、複数の搬送ローラ１０８（搬送ローラ１０８Ａ及び１０８Ｂ）により搬送される。本例のイメージセンサ１０２は、搬送ローラ１０８の搬送速度（すなわち、駆動速度）に応じた周期で、画像の読取を行う。
【００２０】
裏当てローラ１０６は、本発明に係る裏当て部材の一例であり、搬送路１０４から離間した位置に設置されている。裏当てローラ１０６と搬送路１０４との間の距離は、裏当てローラ１０６に投影される原稿９の影が強調される程度であればよい。
裏当てローラ１０６の表面には、画像パターンが形成されている。本例の裏当てローラ１０６の表面には、図４に例示するように、白地に黒の格子パターンが印刷されている。裏当てローラ１０６は、原稿９の搬送速度に応じた速度で回転する。すなわち、裏当てローラ１０６の表面に印刷された格子パターンは、原稿９の移動に同期して移動する。
【００２１】
図２（Ｂ）に例示するように、照明光源１００は、原稿の搬送路の上方から、斜め下方に光を照射し、搬送路の下方に裏当てローラ１０６が配置されている。裏当てローラ１０６は、照明光源１００から見て、原稿９の背景となる領域に配置されている。イメージセンサ１０２は、照明光源１００から照射され裏当てローラ１０６の表面で反射した光を検知できる位置に配置される。より具体的には、イメージセンサ１０２は、搬送路の上方に配置され、原稿９からの反射光と、裏当てローラ１０６からの反射光との両方を検知できる位置及び向きで設置される。
【００２２】
制御ユニット１１０は、スキャナ装置１の各構成を制御するコンピュータであり、例えば、スキャナ装置１の内部に設けられる。本例の制御ユニット１１０には、図３に例示する制御プログラム５がインストールされ、本発明に係る画像処理方法を実現する。
【００２３】
図３は、制御ユニット１１０にインストールされる制御プログラム５の機能構成を例示する図である。
図３に例示するように、制御プログラム５は、原稿搬送部５００、パターン表示制御部５０５、画像入力部５１０、パターン抽出部５１５、補正指示部５２０、影抽出部５２５、領域決定部５３０、切出し部５３５、及び補正部５４０を有する。
【００２４】
制御プログラム５において、原稿搬送部５００は、搬送ローラ１０８を制御して、原稿９を搬送路１０４で搬送する。原稿搬送部５００は、搬送ローラ１０８の状態（搬送開始、回転速度、搬送終了）を画像入力部５１０に通知する。
【００２５】
パターン表示制御部５０５は、原稿の搬送速度に応じて、既定の画像パターンを原稿の背景領域に表示させる。本例のパターン表示制御部５０５は、原稿の搬送速度に応じて、裏当てローラ１０８を回転させる。原稿の搬送速度は、モーションセンサなどの他のセンサで測定されてもよいし、搬送される原稿に従動するローラによって検知されてもよい。
【００２６】
画像入力部５１０は、イメージセンサ１０２を制御して、搬送路１０４を搬送されてくる原稿９を撮影させる。原稿９が撮影されると、その背景領域にある裏当てローラ１０６の画像パターンも撮影される。
本例の画像入力部５１０は、原稿搬送部５００から、原稿の搬送開始が通知されると、イメージセンサ１０２に撮影を開始させ、搬送ローラ１０６の回転速度に対応する周期で主走査ラインの撮影を繰り返し、原稿の搬送終了が通知されると、撮影を終了する。
【００２７】
パターン抽出部５１５は、画像入力部５１０により撮影された画像の中から、既定の画像パターンに対応する画像要素を抽出する。ここで、画像要素とは、撮影された画像の一部分である。本例のパターン抽出部５１５は、背景領域にある黒の格子パターンを抽出する。
【００２８】
補正指示部５２０は、パターン抽出部５１５により抽出された画像パターンに基づいて、補正指示情報を生成する。補正指示情報は、補正が必要であるか否かを示す情報、補正が必要である画像領域を指定する情報、及び、補正量を指定する情報の少なくとも一つを含む。本例の補正指示部５２０は、パターン抽出部５１５により抽出された画像パターンの歪みに基づいて、原稿の搬送速度の変動に起因する画像歪みを低減させる画像補正を行うよう補正部５４０に指示する。
【００２９】
影抽出部５２５は、画像入力部５１０により撮影された画像の中から、原稿９の影に対応する画像要素を抽出する。例えば、影抽出部５２５は、原稿９との濃度差に基づいて、影に対応する画像要素を抽出する。
【００３０】
領域決定部５３０は、パターン抽出部５１５により抽出された画像パターンと、影抽出部５２５により抽出された原稿９の影とに基づいて、原稿９に対応する画像領域を決定する。より具体的には、領域決定部５３０は、原稿９によって画像パターン（格子パターン）が見えなくなっている領域と、影が抽出された領域とに基づいて、原稿９の画像領域を決定する。
【００３１】
切出し部５３５は、領域決定部５３０により決定された画像領域に従って、画像入力部５１０により撮影された画像の中から、原稿９の画像（すなわち、原稿画像９００）を切り出す。
【００３２】
補正部５４０は、補正指示部５２０により生成された補正指示情報に応じて、切出し部５３５により切出された原稿画像９００に対して、補正処理を施す。
【００３３】
図４及び図５は、イメージセンサ１０２（画像入力部５１０）により撮影される読取画像９０を例示する図である。
図４に例示するように、読取画像９０には、原稿９に対応する原稿画像９００と、原稿９の背景領域にあるパターン画像９０２と、原稿９により生じた影に対応する影画像９０４とが含まれる。原稿画像９００は、原稿の搬送方向（副走査方向）に対して傾くことがある。また、パターン画像９０２は、裏当てローラ１０６の画像パターン（格子パターン）が等間隔であったとしても、原稿９の搬送速度の変動によって、パターンの間隔が変化することがある。また、影画像９０４は、照明光源１００の照射方向によって、影ができやすいエッジ（本図の上方）と、影ができにくいエッジ（本図の下方）とが存在する。
【００３４】
図５に例示するように、領域決定部５３０は、影画像９０４と、パターン画像９０２とが重なりあう領域においては、影でパターンが見えなくなっている領域を、原稿画像９００の外縁とする。これにより、仮に、原稿９に、裏当てローラ１０６の画像パターン（格子パターン）と近似する画像要素が含まれている場合でも、領域決定部５３０は、原稿画像９００の外縁を特定できる。また、領域決定部５３０は、影画像９０４が存在しない領域においては、原稿９でパターンが見えなくなっている領域を、原稿画像９００の外縁とする。なお、原稿９に、裏当てロール１０６の画像パターン（格子パターン）と近似する画像要素が含まれている場合には、領域決定部５３０は、影画像９０４とパターン画像９０２とによって特定された外縁に基づいて、影画像９０４が存在しない領域の原稿画像９００の外縁を推定する。
【００３５】
また、図４に例示するように、補正指示部５２０は、原稿搬送方向に設定された基準線上で、パターン画像９０２の間隔を測定し、測定されたパターン画像９０２の歪み（伸び又は縮み）に基づいて、その伸び又は縮みを相殺する画像補正を指示する補正指示情報を生成する。
【００３６】
以上説明したように、本実施形態のスキャナ装置１は、原稿９の搬送速度に応じて裏当てローラ１０６を回転させながら、原稿９を撮影し、撮影された画像の中から、影画像９０４と、パターン画像９０２とを抽出し、抽出された影画像９０４及びパターン画像９０２に基づいて、原稿画像９００の画像領域を決定し切り出す。これにより、仮に原稿９に画像パターンと類似するパターンが含まれていても、画像領域の決定が可能である。また、原稿の影が付きにくい原稿や領域であっても、パターン画像９０２に基づいて画像領域の推定が可能である。特に、本例では、裏当てローラ１０６を搬送路１０４から離間させ、さらに、照明光源１００が原稿９に対して斜め方向に光を照射するため、特定の領域（図４の上方）の影が強調され、他の領域の影がほとんど無くなるが、パターン画像９０２と影画像９０４の組合せによって、原稿画像の画像領域がより正確に決定される。
また、本実施形態のスキャナ装置１は、裏当てローラ１０６に形成された画像パターンに基づいて、原稿搬送速度の変動に起因する画像歪みを補正する。
【００３７】
［変形例１］
次に、上記実施形態の変形例を説明する。
図６は、変形例１における画像パターンを例示する図である。
図６に例示するように、裏当てローラ１０６に形成される画像パターンは、上記実施形態の画像パターンと白黒が反転して、黒地に白の格子パターンである。この場合、スキャナ装置１は、影とパターンの線とを区別しやすくなるため、原稿画像の領域を決定しやすくなる。
【００３８】
［変形例２］
図７は、変形例２における画像パターンを例示する図である。
図７に例示するように、裏当てローラ１０６に形成される画像パターンは、白と黒の市松模様であってもよい。この場合、白色の矩形領域と黒色の矩形領域とが交互に存在するため、スキャナ装置１は、原稿の影によって、白色の矩形領域と黒色の矩形領域との繰り返し周期が乱れる領域を、原稿画像の外縁として決定する。
また、補正指示部５２０は、原稿搬送方向に設定された基準線上で、市松模様のパターン画像９０２の間隔を測定し、測定されたパターン画像９０２の歪み（伸び又は縮み）に基づいて、その伸び又は縮みを相殺する画像補正を指示する補正指示情報を生成する。
【００３９】
［変形例３］
図８は、変形例３における画像パターンを例示する図である。
図８に例示するように、裏当てローラ１０６に形成される画像パターンは、主走査方向及び副走査方向に対して斜めに設けられた斜線パターンであってもよい。この場合、スキャナ装置１は、読取画像の周縁部から、斜線パターンの直線を探索し、発見された直線を読取画像の中央部に向けて辿っていき、この直線と原稿影との交点を探索する。スキャナ装置１は、斜線パターンの直線と原稿影との交点を、原稿画像の外縁として決定する。
なお、スキャナ装置１は、原稿搬送方向に基準線を設定することにより、上記実施形態と同様に、画像歪みの補正量を決定することができる。
【００４０】
［変形例４］
図９（Ａ）は、変形例４におけるスキャナ装置１の内部を模式的に説明する図であり、図９（Ｂ）は、変形例４の照明光源１００と裏当て板１１２とイメージセンサ１０２の位置関係を説明する図である。
図９（Ａ）に例示するように、変形例４のスキャナ装置１は、図２の裏当てローラ１０６を、裏当て板１１２に置換した構成をとる。なお、裏当て板１１２は、本発明に係る裏当て部材の一例である。
裏当て板１１２は、図９（Ｂ）に例示するように、照明光源１００から照射された光がイメージセンサ１０２に向けて反射するように設定された角度で、設置されている。
また、裏当て板１１２の表面（本図の上方の面）には、発光装置が設けられている。裏当て板１１２に設けられた発光装置は、例えば、主走査方向（原稿搬送方向と直交する方向）に配列された複数のＬＥＤランプである。
【００４１】
本変形例のパターン表示制御部５０５は、原稿の搬送速度に応じた周期で、裏当て板１１２に設けられた発光装置を点灯させることによって、図１０に例示するように、読取画像９０に、既定の周期で形成された画像パターンを埋め込む。
本変形例のスキャナ装置１は、図１０に例示するように、読取画像９０に埋め込まれた周期的な画像パターンと、原稿または原稿影との交点を探索し、発見された交点によって、原稿画像９００の画像領域を決定する。
【００４２】
［変形例５］
図１１（Ａ）は、変形例５におけるスキャナ装置１の内部を模式的に説明する図であり、図１１（Ｂ）は、変形例５のスキャナ装置１により撮影される読取画像を例示する図である。
図１１（Ａ）に例示するように、変形例５のスキャナ装置１は、図２の各構成に、不可視光光源１１４を追加した構成をとる。不可視光光源１１４は、不可視光を照射する点を除いて、照明光源１００と同じである。不可視光光源１１４により照射される不可視光は、紫外線や赤外線などの見えない光線である。本例の不可視光光源１１４は、赤外線を照射する。
また、本変形例のイメージセンサ１０２は、不可視光を検知できるラインセンサをさらに有する。本変形例のイメージセンサ１０２は、赤色ラインセンサ、緑色ラインセンサ、及び青色ラインセンサに加えて、赤外線を検知する不可視光ラインセンサを含む。
また、裏当てローラ１０６の表面には、可視光では見えず、不可視光を反射又は吸収するインクで画像パターンが印刷されている。本変形例の裏当てローラ１０６には、赤外線の不可視インクで画像パターンが形成されている。
【００４３】
図１１（Ｂ）に例示するように、変形例５のスキャナ装置１は、赤外線（IR）読取画像（不可視光画像）と、赤色、緑色及び青色からなる可視光画像とを読み取る。本変形例のパターン抽出部５１５は、不可視光画像から、パターン画像を抽出し、影抽出部５２５は、不可視光画像又は可視光画像から、影画像を抽出する。本変形例の領域決定部５３０は、不可視光画像から抽出されたパターン画像と、不可視光画像又は可視光画像から抽出された影画像から、可視光画像における原稿画像の画像領域を決定する。
また、補正指示部５２０は、不可視光画像から抽出されたパターン画像に基づいて、補正量を決定する。
【００４４】
このように、不可視光によって画像パターンを形成することによって、原稿画像に不要な画像パターンが写り込むことを防止することができる。
【００４５】
［変形例６］
図１２は、照明光源１００を周期的に強弱点灯させた場合の読取画像を例示する図である。
図１２に例示するように、変形例６のスキャナ装置１は、照明光源１００を既定の周期で強弱点灯させることにより、変形例４と同様に、読取画像の中に、画像パターンを形成することができる。本変形例のスキャナ装置１は、変形例４と同様の処理によって、読取画像から原稿画像を切り出すと共に、切り出された原稿画像に対して、画像パターンを相殺するような画像補正を施す。なお、照明光源１００の強弱点灯は、全色成分の光量を変動させるものであってもよいし、特定の色成分のみの光量を変動させるものであってもよい。
また、補正指示部５２０は、原稿搬送方向に設定された基準線上で、明暗のパターン画像の間隔を測定し、測定された明暗パターンの歪み（伸び又は縮み）に基づいて、その伸び又は縮みを相殺する画像補正を指示する補正指示情報を生成する。
【符号の説明】
【００４６】
１…スキャナ装置
１００…照明光源
１０２…イメージセンサ
１０４…搬送路
１０６…裏当てローラ
１１０…制御ユニット
１１２…裏当て板
１１４…不可視光光源
５…制御プログラム
【図１】
0005716222.tif 000002
【図２】
0005716222.tif 000003
【図３】
0005716222.tif 000004
【図４】
0005716222.tif 000005
【図５】
0005716222.tif 000006
【図６】
0005716222.tif 000007
【図７】
0005716222.tif 000008
【図８】
0005716222.tif 000009
【図９】
0005716222.tif 000010
【図１０】
0005716222.tif 000011
【図１１】
0005716222.tif 000012
【図１２】
0005716222.tif 000013